(57)【要約】【課題】本発明は体調の良好化を行う光照射装置に関し、人体の深部に対する体調の良好化が行いやすいものを提供することを目的とするものである。【解決手段】そしてこの目的を達成するために本発明は、包装帯４と、この包装帯４の表面側に配置した光拡散帯１３と、この光拡散帯１３と前記包装帯４間に介在させた複数の発光素子１１とを備え、前記光拡散帯１３内には、複数の球状粒子１４を含んだゲル状体１５を充填し、前記球状粒子１４の直径は、３．７ミクロン以下とした。【選択図】図５
2010246754.tif 000002
【特許請求の範囲】
【請求項１】
包装帯と、この包装帯の表面側に配置した光拡散帯と、この光拡散帯と前記包装帯間に介在させた複数の発光素子とを備え、前記光拡散帯内には、複数の球状粒子を含んだゲル状体を充填し、前記球状粒子の直径は、３．７ミクロン以下とした光照射装置。
【請求項２】
球状粒子の直径は、０．３ミクロン〜３．７ミクロンとした請求項１に記載の光照射装置。
【請求項３】
複数の球状粒子の総体積は、ゲル状体の体積に対して１．６〜０．１％とした請求項１、または２に記載の光照射装置。
【請求項４】
光拡散帯内におけるゲル状体の厚みは、５ミリメータ以下とした請求項１〜３のいずれか一つに記載の光照射装置。
【請求項５】
ゲル状体は、シリコンゲルで構成した請求項１〜４のいずれか一つに記載の光照射装置。
【請求項６】
球状粒子は、ポリスチレンで構成した請求項１〜５のいずれか一つに記載の光照射装置。
【請求項７】
光拡散帯は、包装帯に対して着脱自在とした請求項１〜６のいずれか一つに記載の光照射装置。
【発明の詳細な説明】
【技術分野】
【０００１】
本発明は、光の照射によって体調を良好化しようとする光照射装置に関する。
【背景技術】
【０００２】
従来のこの種、光照射装置の構成は次のようになっていた。
【０００３】
すなわち、包装帯と、この包装帯の内面側に配置した光拡散帯と、この光拡散帯と前記包装帯間に介在させた複数の発光素子とを備え、前記光拡散帯内には、複数の球状粒子を含んだゲル状体を充填した構成となっていた（例えば、下記特許文献１）。
【先行技術文献】
【特許文献】
【０００４】
【特許文献１】特表２００３−５０７１４４号公報
【発明の概要】
【発明が解決しようとする課題】
【０００５】
上記従来例では、例えば人体に包装帯を巻きつけ、その状態で複数の発光素子から人体に対して光を照射し、体調を良好化しようとしている。
【０００６】
その場合、人体に対する光の照射量を抑制するために、複数の発光素子と人体間には、上述のごとく、複数の球状粒子を含んだゲル状体を充填した光拡散帯を、介在させている。
【０００７】
すなわち、発光素子から人体に向けて照射される光の一部を、複数の球状粒子で反射させ、これによって人体に対する光の照射量を抑制しようとしているのである。
【０００８】
このような従来例においては、人体に対する光の照射量を抑制することに注力しているので、そこに用いる球状粒子は大きなものとなっていた。
【０００９】
しかしながら、このような従来の光照射装置を用いて人体の深部、例えば関節の良好化を行おうとすると、光がこの深部にまで届かず、その結果として体調の良好化が進みにくいと言う状況が現出することとなってきた。
【００１０】
そこで本発明は、人体の深部に対する良好化が行いやすい光照射装置を提供することを目的とするものである。
【課題を解決するための手段】
【００１１】
そしてこの目的を達成するために本発明は、包装帯と、この包装帯の内面側に配置した光拡散帯と、この光拡散帯と前記包装帯間に介在させた複数の発光素子とを備え、前記光拡散帯内には、複数の球状粒子を含んだゲル状体を充填し、前記球状粒子の直径は、３．７ミクロン以下とし、これにより所期の目的を達成するものである。
【発明の効果】
【００１２】
以上のように本発明は、包装帯と、この包装帯の内面側に配置した光拡散帯と、この光拡散帯と前記包装帯間に介在させた複数の発光素子とを備え、前記光拡散帯内には、複数の球状粒子を含んだゲル状体を充填し、前記球状粒子の直径は、３．７ミクロン以下としたものであるので、人体の深部における体調良好化が行いやすいものとなる。
【００１３】
すなわち、球状粒子の直径は、３．７ミクロン以下とすることにより、各球状粒子を通過後の光の拡散角度を５度以上広げることが出来、その結果として人体の深部にまで光を到達させ、この深部に対する体調の良好化が行いやすいものとなるのである。
【図面の簡単な説明】
【００１４】
【図１】本発明の一実施形態の使用状態を示す斜視図
【図２】その一方の表面側（外面側）の斜視図
【図３】その他方の表面側（内面側）の斜視図
【図４】その使用状態を示す断面図
【図５】その使用状態を示す拡大断面図
【図６】その制御ブロック図
【発明を実施するための形態】
【００１５】
以下、本発明の実施の形態の光照射装置について、図面を参照しながら説明する。
【００１６】
（実施の形態１）
図１は本発明の一実施形態にかかる光照射装置１の使用状態を示し、この図１においては、この光照射装置１が人体２の腹部３に装着されている状態を示している。
【００１７】
光照射装置１は、図２に示すように、帯状の包装帯４を主体として形成され、この包装帯４の一方の表面（図１の装着時の外面側）には操作ケース５が設けられている。
【００１８】
また、この操作ケース５の表面には、この図２に示すように、動作状態を示す動作ランプ６と、動作スイッチ７と、適正圧力表示ランプ８と、残り時間表示部９とを設けており、またこの操作ケース５の内部には、電源電池（図６の１０）が収納されている。
【００１９】
さらに、前記包装帯４の他方の表面（図１の装着時の内面側）には、図３〜図５から理解されるように、複数（具体的には６０個）の発光素子（例えばＬＥＤ）１１が、所定間隔をおいて配置されおり、またこの面の発光素子１１側方には一つの圧力センサ１２が配置されている。
【００２０】
そして、このような発光素子１１、圧力センサ１２の配置状態において、これらの発光素子１１、圧力センサ１２の表面側は、光拡散帯１３で覆われている。つまり、光拡散帯１３と前記包装帯４間に、複数の発光素子１１が介在した状態となっているので、発光素子１１からの光は光拡散帯１３を介して人体２の腹部３に照射されるようになっている。
【００２１】
前記光拡散帯１３は袋状となっており、その中には、複数の球状粒子１４を含んだゲル状体１５が充填されている。
【００２２】
また、前記球状粒子１４の直径は、３．７ミクロン以下、より具体的には、球状粒子１４の直径は、０．３ミクロン〜３．７ミクロンものが主体的となるようにしている。
【００２３】
さらに、複数の球状粒子１４の総体積は、ゲル状体１５の体積に対して１．６〜０．１％としている。
【００２４】
さらにまた、光拡散帯１３内におけるゲル状体１５の厚みは、５ミリメータ以下としている。なお、ゲル状体１５は、シリコンゲルで構成しており、また球状粒子１４は、ポリスチレンで構成している。
【００２５】
そしてこのような構成の光拡散帯１３は、包装帯４に対して着脱自在としているが、この光拡散帯１３を、図４のごとく包装帯４に装着した状態においては、この光拡散帯１３は全ての発光素子１１と圧力センサ１２を覆う程度の十分に大きな状態としている。
【００２６】
したがって、図４のごとく本実施形態の光照射装置１を、人体２の腹部３に装着した場合には、この光拡散帯１３が腹部３に密着し、また、この時の装着圧力は、光拡散帯１３を介して圧力センサ１２に伝わり、適正圧力以上なら、図１に示した適正圧力表示ランプ８が点灯するようになっている。
【００２７】
図６には、以上の各構成部品の電気的な接続状態を示している。
【００２８】
先ず、６０個の発光素子１１は、６個を直列接続したものを、１０列並列接続した状態としている。また、電源電池１０は単３電池（１．５Ｖ）を３本直列接続したものを、３列並列接続した状態となっている。したがって、各発光素子１１には、０．７５Ｖが印加されるようになっている。
【００２９】
また、電源電池１０には制御部１６が接続されており、この制御部１６に前記動作ランプ６、動作スイッチ７、適正圧力表示ランプ８、残り時間表示部９、発光素子１１、圧力センサ１２、及び終了を知らせるブザー１７が接続されており、これにより各部への電源供給と、信号伝達が行われる構成となっている。
【００３０】
上記構成において、図２、図３に示すごとく、帯状の包装帯４の一方の表面（図１の装着時の外面側）の一端側には面ファスナー１８が設けられ、また帯状の包装帯４の他方の表面（図１の装着時の内面側）の他端側には面ファスナー１９が設けられているので、使用者は図１、図４に示すごとく、例えば腹部３に包装帯４を巻き付け、面ファスナー１８、１９を係合させる。
【００３１】
そして、この状態で動作スイッチ７を押すと、動作ランプ６が点灯するとともに、面ファスナー１８，１９を係合させた包装帯４の巻き付け状態が適切（図４のごとく腹部３に光拡散帯１３が密着した状態）であると、それを圧力センサ１２が検出し、適正圧力表示ランプ８が点灯し、残り時間表示部９が１５分から１秒ごとにカウントダウンを開始する。
【００３２】
この時、包装帯４の内側では、発光素子１１の発光が開始されており、その光は図５のごとく光拡散帯１３を介して人体２の腹部３へと照射されることになるのであるが、本実施形態では光拡散帯１３を用いていることにより、人体２のより深い部分にまで光を到達させることが出来るようになった。
【００３３】
具体的には、本実施形態の光拡散帯１３は、上述のごとく袋状となっており、その中には、複数の球状粒子１４を含んだゲル状体１５が充填されている。そして特徴的なのは、前記球状粒子１４の直径を、３．７ミクロン以下と、現状のものよりもはるかに小さくした。より具体的には、球状粒子１４の直径を、０．３ミクロン〜３．７ミクロンものが主体的となるようにしており、この状態は今までの常識を覆すはるかに小さなものとしている。
【００３４】
つまり、本発明者は種々検討した結果、球状粒子１４の直径を、３．７ミクロン以下と小さくすることにより、人体２のより深い部分にまで光を到達させることが出来ると言うことを、見出したものである。
【００３５】
その理由については、十分に解明できていない部分もあるが、本実施形態のごとく、球
状粒子１４の直径を、３．７ミクロン以下にすると、発光素子１１から照射される光を広げることが出来、これによって人体２のより深い部分にまで光を到達させることが出来るようになったものと考えられる。
【００３６】
これに対して、発光素子１１と人体２との間に介在している無数の球状粒子１４それぞれの大きさが、この３．７ミクロンよりも大きい従来例では、各球状粒子１４の周りを通過する光の拡がり角が例えば５度よりも小さくなってしまう。そして、このような従来例のごとく、各球状粒子１４の周りを通過する光の拡がり角が例えば５度よりも小さくなると、最終的に光拡散帯１３から人体２に対して照射される面積が小さくなってしまう。例えば、富士山のように高い山は、裾野が広いと言うたとえのごとく、光拡散帯１３の最終場面における人体２への光の照射面積が小さくなると、人体２のより深い部分にまで光が到達しなくなってしまう。
【００３７】
そこで、本実施形態では、球状粒子１４の直径を、３．７ミクロン以下にすることで、各球状粒子１４の周りを通過する光の拡がり角が例えば５度以上に大きくし、これにより、最終的に光拡散帯１３から人体２に対して照射される面積を大きくし、その結果として人体２のより深い部分にまで光を到達させるようにしたものである。
【００３８】
また、本実施形態では、球状粒子１４の直径の下限を０．３ミクロンとしているが、その理由は、あまりにも球状粒子１４の直径が小さすぎると、球状粒子１４での反射回数が増加しすぎる結果として、光拡散帯１３内で発光素子１１側への反射量が増加し、それによって人体２への光の照射量が激減してしまうからである。
【００３９】
この点を補足すると、本実施形態においては、複数の球状粒子１４の総体積は、ゲル状体１５の体積に対して１．６〜０．１％に設定しているので、球状粒子１４を小径にすれば、より多くの数の球状粒子１４がゲル状体１５内に混入し、これによって光拡散帯１３内で発光素子１１側への反射回数が増加し、反射量も増加し、それによって人体２への光の照射量が激減してしまうと考えている。
【００４０】
なお、本実施形態における上述した結論を出すにあたり、発光素子１１は波長が８５０ナノメートルの光が出射されるものを使用し、また、光拡散帯１３内におけるゲル状体１５の厚みは、５ミリメータ以下とした。また、ゲル状体１５は、シリコンゲルで構成しており、さらに球状粒子１４は、ポリスチレンで構成した。
【００４１】
また、本実施形態において、光拡散帯１３を、包装帯４に対して着脱自在とした理由は、光拡散帯１３が上述のごとく人体２に直接触れるものであるので、衛生的な観点からである。しかし、この着脱を行っても、本来の機能を発揮するためには、図４のごとく包装帯４に装着した状態においては、この光拡散帯１３は全ての発光素子１１と圧力センサ１２を覆う程度の十分に大きなものにする必要がある。
【００４２】
そして、このようにして、人体２のより深い部分にまで光を十分に到達させれば、人体２深い部分での体調良好化（図１は人体２の深い部分の脂肪を消費しやすくする働きを狙ったものであるが、その他の人体２の深い部分である間接にも効用が有ると種々報告されている）に大きく貢献できるものとなる。
【００４３】
以上の状態で人体２の深い部分に光を１５分間照射すると、残り時間表示部９がゼロ表示になるとともに、ブザー１７が鳴って使用終了が報知され、その後動作ランプ６が消灯し、全ての動作が終了する。
【産業上の利用可能性】
【００４４】
以上のように本発明は、包装帯と、この包装帯の内面側に配置した光拡散帯と、この光拡散帯と前記包装帯間に介在させた複数の発光素子とを備え、前記光拡散帯内には、複数の球状粒子を含んだゲル状体を充填し、前記球状粒子の直径は、３．７ミクロン以下としたものであるので、人体の深部における体調良好化が行いやすいものとなる。
【００４５】
すなわち、球状粒子の直径は、３．７ミクロン以下とすることにより、各球状粒子を通過後の光の拡散角度を５度以上広げることが出来、その結果として人体の深部にまで光を到達させ、この深部に対する体調の良好化が行いやすいものとなるのである。
【００４６】
したがって、体調の良好化のために広く活用が期待されるものとなる。
【符号の説明】
【００４７】
１    光照射装置
２    人体
３    腹部
４    包装帯
５    操作ケース
６    動作ランプ
７    動作スイッチ
８    適正圧力表示ランプ
９    残り時間表示部
１０    電源電池
１１    発光素子
１２    圧力センサ
１３    光拡散帯
１４    球状粒子
１５    ゲル状体
１６    制御部
１７    ブザー
１８、１９    面ファスナー
【図１】
2010246754.tif 000003
【図２】
2010246754.tif 000004
【図３】
2010246754.tif 000005
【図４】
2010246754.tif 000006
【図５】
2010246754.tif 000007
【図６】
2010246754.tif 000008